(57)【要約】【課題】ヘッドカバーの保護壁部とヘッドケースの側面部との間にインク等の液体が導かれ、保持される事を防止して、液体が回路基板に悪影響を与えることを有効に防止できる液体噴射ヘッド及びそれを用いた液体噴射装置を提供すること。【解決手段】記録ヘッド３０のヘッドカバー３９の保護壁部と、ヘッドケース先端部６１の側面部との間に、シール部材が配置されている。【選択図】      図９
2005262774.tif 000002
【特許請求の範囲】
【請求項１】
駆動手段により液体を噴射するためのノズルと、これに連通する液室とを形成するための流路ユニットと、該流路ユニットをヘッドケースに当接させ、ヘッドカバーにより保護する液体噴射ヘッドであって、
前記ヘッドカバーが、前記流路ユニットの前記ノズルのノズル面を露出させる開口部と、該開口部の周囲に設けられ、前記流路ユニットの周縁部を前記ヘッドケースに対して支持するように覆う枠部と、該枠部から一体に起立し、前記ヘッドケースの側面を覆うように形成された保護壁部と、該保護壁部と一体に形成され、前記保護壁部から折り曲げられて周囲方向に延びた、前記ヘッドケースに対して固定するための支持部と、を有しており、
前記保護壁部と、前記ヘッドケースの側面部との間にはシール部材が配置されていることを特徴とする液体噴射ヘッド。
【請求項２】
前記シール材が、前記ヘッドケースの前記側面部の全周に渡り、連続して配置されていることを特徴とする請求項１に記載の液体噴射ヘッド。
【請求項３】
前記シール材は、接着部材であることを特徴とする請求項１ないし２のいずれかに記載の液体噴射ヘッド。
【請求項４】
前記シール材は、弾性部材であることを特徴とする請求項１ないし２のいずれかに記載の液体噴射ヘッド。
【請求項５】
請求項１ないし４の何れか１つに記載された液体噴射ヘッドを備えたことを特徴とする液体噴射装置。
【発明の詳細な説明】
【技術分野】
【０００１】
この発明は、プリンタ等の画像記録装置に用いられる記録ヘッド、液晶ディスプレー等のカラーフィルタの製造に用いられる色材噴射ヘッド、有機ＥＬディスプレー、ＦＥＤ（面発光ディスプレー）等の電極形成に用いられる電極材噴射ヘッド、バイオチップ製造に用いられる生体有機物噴射ヘッド等の液体を吐出する液体噴射ヘッド及びそれを用いた液体噴射装置全般に関する。
【背景技術】
【０００２】
液体噴射装置として広く使用されているものに、インクジェットプリンタがある。インクジェットプリンタにおいては、複数のノズル開口から液体であるインク滴を噴射するための液体噴射ヘッドとして記録ヘッドを備えている。この記録ヘッドによりインク滴を媒体である記録紙等の表面に着弾させて、画像や文字等を印刷するようにしている。
【０００３】
このようなインクジェットプリンタでは、移動手段により、上記記録紙等に対して相対的に移動されるキャリッジを備えており、このキャリッジに記録ヘッドが搭載されている。記録ヘッドとしては、ノズル開口が形成されたノズルプレートを含む流路ユニットが、複数の圧電振動子を含む圧電振動子ユニットを収容するヘッドケースに当接され、枠体で覆われている。（特許文献１参照）
【０００４】
【特許文献１】特開２００３-３９６４３号公報（段落［００２４］乃至［００２６  ］、［図５］）
【発明の開示】
【発明が解決しようとする課題】
【０００５】
図１０は、このようなインクジェットプリンタに搭載される記録ヘッドとして機能するために想定される構造を示す概略断面図であり、図１１は、図１０の符号Ｃで示す領域を拡大して示した図である。
【０００６】
これらの図において、記録ヘッド１は、ヘッドケース２と、このヘッドケースの図において上面に固定される回路基板Ｂとを備えている。ヘッドケース２は、図１１に示されているように、フランジ状に広がる基部７と、この基部７から一体に延びて、図において下方に突出する先端部６を備えている。ヘッドケース２には、この先端部６の内部を利用して縦方向に並列に配置される複数の収容部Ｈ１，Ｈ１，Ｈ１が形成されている。
【０００７】
図１０に示すように、ヘッドケース２の収容部Ｈ１，Ｈ１，Ｈ１には、それぞれノズルの駆動手段としての振動子ユニット４，４，４が固定されている。詳しくは、図１１に示すように、振動子ユニット４は、ヘッドケース２の収容部Ｈ１の内面に固定される取付板もしくは固定板４ａと、この固定板４ａに対して、一端が固定され、自由端を下方に向けて配置された振動子４ｂと、振動子４ｂに駆動電圧を印加するために、その一端が振動子４ｂに対して電気的に接続されたフレキシブル基板等でなるテープキャリア４ｃとを備えている。テープキャリア４ｃの他端は、回路基板Ｂに接続されている。
【０００８】
一方、ヘッドケース２の先端部６の端面には、プレート状の積層構造をもつ流路ユニット３が固定されており、この流路ユニット３には、図１０に示すように、複数のノズル開口３ａ，３ａ，３ａが形成されている。そして、流路ユニット３の外側から、枠状の金属材料でなるヘッドカバー５が配置されている。ヘッドカバー５は、その先端に、流路ユニット３のノズル開口３ａ，３ａ，３ａを露出する開口部５ａを備えており、保護壁部５ｂにより、ヘッドケース２の先端部６の側面を覆い、曲折させてフランジ状となった支持部５ｃを利用して、ヘッドケース２の基部７と固定されるようになっている。
【０００９】
これにより、ヘッドカバー５は、精密な構造の流路ユニット３や、ヘッドケース２の側面部を覆って保護するとともに、金属材料によるアース効果によって、これらの部品のシールドを行っている。
【００１０】
記録ヘッド１にあっては、駆動手段としての振動子ユニット４に、回路基板Ｂから駆動電圧を印加することで、図示しない手段により流路ユニット３に導かれたインクを、各振動子４ｂの振動によりノズル開口３ａから噴射する。これにより、記録紙等の媒体（図示せず）の印刷面等に、所定の印刷を行う。
【００１１】
このような印刷を行った後においては、流路ユニット３のノズル開口３ａの周囲等に、微量のインクが付着する場合がある。このため、クリーニング動作を行う。クリーニング動作は、例えば、図１０に示すように、インクジェットプリンタに装備された払拭手段８等が、記録ヘッド１に対して、矢印Ａ１に示すように相対的に接近し、その払拭面をノズル開口３ａに接触させた状態で、矢印Ａ２方向に相対的に移動することにより、ノズル開口３ａの周囲に残ったインクを拭うことにより行われる。
【００１２】
しかしながら、記録ヘッド１においては、このクリーニング動作により払拭される微量のインクが、図１１のＳ１の空間に残る場合がある。つまり、クリーニング動作の際に、インクが、ヘッドカバー５の開口部５ａから、ヘッドカバー５の内側に入り込み、空間Ｓ１等の内部空間に貯留されてしまうことがある。
【００１３】
この空間Ｓ１に溜まったインクは、ヘッドカバー５の保護壁部５ｂと、ヘッドケース２の先端部６の側壁との間の微細な隙間Ｇ１に、毛細管現象によって入り込み、矢印Ａ３の方向に移動する。この矢印Ａ３の方向に移動したインクが、回路基板Ｂにいたると、電気的短絡を生じる場合がある。
【００１４】
つまり、図１０、図１１のような構成であると、隙間Ｇ１は、ヘッドケース２の基部７にいたるまで続いており、さらに基部７とヘッドカバー５の支持部５ｃとの間の隙間はきわめて小さいので、毛細管現象で移動するインクは、ヘッドケース２の基部７まで移動してしまう。このような状態で、記録ヘッド１が姿勢を変える場合、例えば、ユーザがプリンタ本体及び記録ヘッド１を傾けたりすると、空間Ｓ１に溜まり、かつヘッドケース２の基部７まで続くインクは、瞬時に回路基板Ｂにまわってしまう場合がある。
【００１５】
この発明は上記課題を解消し、特に、ヘッドカバーの保護壁部とヘッドケースの側面部との間にインク等の液体が導かれることを防止して、液体が回路基板に悪影響を与えることを有効に防止できる液体噴射ヘッド及びそれを用いた液体噴射装置を提供することを目的としている。
【課題を解決するための手段】
【００１６】
上記目的は、本発明の液体噴射ヘッドの構成によれば、駆動手段により液体を噴射するためのノズルと、これに連通する液室とを形成するための流路ユニットと、該流路ユニットをヘッドケースに当接させ、ヘッドカバーにより保護する液体噴射ヘッドであって、前記ヘッドカバーが、前記流路ユニットの前記ノズルのノズル面を露出させる開口部と、該開口部の周囲に設けられ、前記流路ユニットの周縁部を前記ヘッドケースに対して支持するように覆う枠部と、該枠部から一体に起立し、前記ヘッドケースの側面を覆うように形成された保護壁部と、該保護壁部と一体に形成され、前記保護壁部から折り曲げられて周囲方向に延びた、前記ヘッドケースに対して固定するための支持部と、を有しており、前記保護壁部と、前記ヘッドケースの側面部との間にはシール部材が配置されていることを特徴とする液体噴射ヘッド。により、達成される。
【００１７】
上記構成によれば、ヘッドカバーは、その枠部でヘッドケースに固定された流路ユニットの周縁を覆い保護する。また、ヘッドカバーは、その保護壁部で、ヘッドケースの側面を覆い保護し、このヘッドカバーはその支持部が、ヘッドケースの基部に固定されるので、流路ユニットやヘッドケースの側面の保護を確実に行うことができる。このような構造において、ヘッドカバーの保護壁部とヘッドケースの側面との間にシール部材が配置されているため、ヘッドカバーの開口部から内側に入った液体が、ヘッドケースの前記支持部の方向へ、毛細管現象により導かれなくなるので、液体がヘッドケースの前記支持部側に存在する部品、例えば、記録ヘッドの回路基板等の電気的構成に悪影響を与えることが有効に防止される。
【００１８】
本発明の液体噴射ヘッドは、好ましくは、シール部材がヘッドケースの側面部の全周に渡り、連続して配置されていることを特徴とする。
【００１９】
上記構成によれば、シール部材により、ヘッドケースの側面と、ヘッドカバーの保護壁部との間が完全にシールされることから、ヘッドカバー開口部から内側に入った液体が、シール部材よりもより内側、すなわちヘッドケースの支持部の方向へ、侵入することが完全に防止される。
【００２０】
本発明の液体噴射ヘッドは、好ましくは、シール部材は、接着部材であることを特徴とする。
【００２１】
上記構成によれば、ヘッドカバー開口部から内側に入った液体が、接着部材よりもより内側方向、すなわちヘッドケースの支持部の方向へ、侵入することを防止できる。
【００２２】
しかも、シール部材として接着部材を使用することにより、ヘッドカバーの固定力が向上し、紙ジャム等による、ヘッドカバーの浮き上がりを防止することができる。
本発明の液体噴射ヘッドは、好ましくは、シール部材は、弾性部材であることを特徴とする。
【００２３】
上記構成によれば、ヘッドカバー開口部から内側に入った液体が、弾性部材より内側方向、すなわちヘッドケースの支持部の方向へ、侵入することを防止できる。  また、シール部材として弾性部材を使用することにより、シール部材を接着部材と用いた構成に比べ組立が容易であり、製造コストの増加を抑えることができる。
【００２４】
さらに、本発明の液体噴射装置は、上記態様のいずれか１つに記載された液体噴射ヘッドを備えたことを特徴とする。
【００２５】
上記構成によれば、信頼性の高い液体噴射装置を提供することができる。
【発明を実施するための最良の形態】
【００２６】
以下、この発明の好適な実施の形態を添付図面に基づいて詳細に説明する。
【００２７】
なお、以下に述べる実施の形態は、この発明の好適な具体例であるから、技術的に好ましい種々の限定が付されているが、この発明の範囲は、以下の説明において特にこの発明を限定する旨の記載がない限り、これらの形態に限られるものではない。
【実施例１】
【００２８】
図１は、この発明の液体噴射装置の好ましい実施形態としてのインクジェット式記録装置の全体構造の一例を示す概略構成図である。
【００２９】
図において、インクジェット式記録装置（以下、「記録装置」と言う）１００は、紙等の媒体Ｐの表面にインクを噴射して、印刷を行う装置である。
【００３０】
このため、媒体Ｐの印刷面に対向するように、インクカートリッジ１０２を搭載したキャリッジ１０１が配置されている。キャリッジ１０１には、このインクカートリッジ１０２と、後述する記録ヘッドとが搭載されている。この記録ヘッドのノズル形成面の先端部は、媒体Ｐの印刷面に向けられている。キャリッジ１０１には、タイミングベルト等のキャリッジ移動手段１０４（以下、適宜「タイミングベルト１０４」と言う）が接続されており、この移動手段としてのタイミングベルト１０４は、タイミングモータ等の駆動手段１０５により駆動され、ガイド手段１０３に案内されて、例えば、プラテン１０６の方向と一致した矢印Ａ４の方向に移動されるようになっている。
【００３１】
この記録装置１００の非印刷領域であるホームポジションには、例えば、キャリッジ１０１に搭載された記録ヘッド（後述）のノズル面を払拭するための払拭手段１０７が配置されている。この払拭手段１０７は、キャリッジ１０１に対して、その移動方向に対して相対的に移動して、記録ヘッドのノズル形成面を払拭するようになっている。このため、払拭手段１０７は、ゴム等のある程度弾性を備える払拭に適した材料と形態が選択される。
【００３２】
また、この払拭手段１０７に隣接して、上記ホームポジションもしくはその近傍に、被覆部材１０９が配置されている。被覆部材１０９は、後述する記録ヘッド先端部を収容し得る形態で形成されており、記録ヘッド先端部を覆って内部を密閉空間として、負圧によりインクを吸着してクリーニングするためのものである。この被覆部材１０９には、ポンプユニット１０８が接続され、上記密閉空間に負圧を形成できるようにされている。したがって、このポンプユニット１０８及び被覆部材１０９と、これらに代え、これらに加えて上記払拭手段１０７を採用することで、全体として記録ヘッドの清掃手段１１０を形成している。
【００３３】
図２及び図３は、記録装置１００の図１で説明したキャリッジ１０１の具体的構成例を示す斜視図であり、図２は、記録ヘッド３０を取り付けないキャリッジ１０１の状態を示し、図３は、記録ヘッド３０を取り付けたキャリッジ１０１の状態を示している。
【００３４】
図２において、キャリッジ１０１は、前部側壁５２、後部側壁５４、両側壁５１，５３を備え、かつ底板５７を備えることで、四方の側面と底部とに囲まれた内部空間Ｓを有するとともに、上方が開放されたボックス状の収容体である。
【００３５】
このキャリッジ１０１の後部側壁５４には、縦方向に延びるスリット５６，５６・・・が互いに平行に形成されている。このスリット５６，５６・・・は、キャリッジ１０１に収容されるインクカートリッジ１０２（図１参照）の各色インクの数に対応して設けられており、このスリット５６，５６・・・から、内部空間Ｓには、図示しない電極が突出するように設けられて、インクカートリッジ１０２の記憶手段の端子（図示せず）と接続されるようになっている。
【００３６】
また、キャリッジ１０１には、例えば、後方に向かって突出するように支持アーム５８が設けられている。キャリッジ１０１の底板５７には、図２に示すように、例えば、矩形の貫通孔５９が形成されており、キャリッジ１０１の内部空間Ｓ内に、図３に示すように記録ヘッド３０が取り付けられた状態で、記録ヘッド３０のノズルが形成された先端部が底板５７から露出するようになっている。
【００３７】
このキャリッジ１０１は、図１の記録装置１００のガイド手段１０３と接続される部分と、これとは別体に形成され、記録ヘッド３０やインクカートリッジ１０２等が挿入される部分とを有しているが、これらを一体に形成するようにしてもよい。
【００３８】
図４及び図５はキャリッジ１０１に収容される本発明の液体噴射ヘッドの実施形態としての記録ヘッド３０の概略斜視図であり、図６は、記録ヘッド３０の分解斜視図である。
【００３９】
これらの図に示されているように、記録ヘッド３０は、後述する各種の部品を取り付けるためのカートリッジ基台（以下、「基台」という）３１を有している。基台３１は、全体として、例えば、合成樹脂製の支持基台であり、図６に示されているように、その一面（図において上面）には、複数の区画が設けられている。この区画は、インクカートリッジ１０２（図１参照）の各色インクの数に対応して設けられている。各区画には、図示されているように、それぞれフィルタ３３・・・を介して、それぞれインク供給針３２・・・が取付けられている。
【００４０】
基台３１の他面には、パッキンとなるシート部材３４を介して、回路基板３５が取付けられるようになっている。シート部材３４には、インクの供給用の貫通孔３４ａが形成されている。回路基板３５は、例えば、インクの噴射ノズルを駆動するためのドライブ回路等や、本体側との接続のためのコネクタ、シート部材３４のインクの供給用の貫通孔３４ａと対応する貫通孔等を備えている。
【００４１】
さらに、記録ヘッド３０は、駆動手段としての複数の圧電振動子を備える振動子ユニット３６と、この振動子ユニット３６が取付けられるヘッドケース３７を備えている。振動子ユニット３６は、固定板に複数の圧電振動子を並列的に固定したもので、図示しないテープキャリアを介して、回路基板３５から駆動電圧が供給されるようになっている。この振動子ユニット３６が駆動されることで、流路ユニット３８に形成されるノズルからインクが吐出されるようになっている。
【００４２】
このため、振動子ユニット３６の図示しないテープキャリアは、回路基板３５の貫通孔に挿通されて、折り曲げ後、回路基板３５に半田接続されることで、上記コネクタ等と接続されている。また、振動子ユニット３６は、図７に示すように、ヘッドケース３７の収納部３７ａに挿入されている。
【００４３】
ヘッドケース３７は、図５に示されているように、基台３１に固定されるもので、上述した振動子ユニット３６を収容するためのケーシングである。ヘッドケース３７は、例えば、フランジ状に広がる形態を備えた基部６５と、この基部６５から一体に図７において下方に突出したほぼ直方体でなるブロック状の先端部６１を有している。ヘッドケース３７の基部６５は、例えば、フランジ状に広がっており、後述するように、ヘッドカバー３９の後述する支持部を固定するために機能する。
【００４４】
このヘッドケース３７の先端部６１の端面６２（載置面）には、流路ユニット３８が当接されて、例えば、接着剤等により固定されている。
【００４５】
流路ユニット３８は、図７の下方から上方に向かって、ノズルプレート４１、流路形成基板４２、弾性板４３を順次積層し、接着剤等で固定して一体化させることにより形成されている。
【００４６】
ノズルプレート４１は、例えば、ステンレス製の薄板でなり、プリンタのドット形成密度に対応したピッチで、微細なノズル開口４１ａを列状に形成したものである。
【００４７】
図８は、図７の流路ユニット３８を拡大した断面図である。図において、流路形成基板４２は、インクカートリッジから導かれるインクをノズルプレート４１の各ノズル開口４１ａに送る流路を形成するもので、例えば、シリコンウエハーをエッチング処理して形成されている。流路形成基板４２には、ノズルプレート４１の各ノズル開口４１ａにそれぞれ対応して連通する複数の区画領域でなる圧力室６８（液室）や、インクを貯留するための共通インク室６６、この共通インク室と上記した圧力室を連絡する溝状のインク供給口６７等が形成されている。
【００４８】
弾性板４３は、流路形成基板４２の上に位置して配置されるもので、例えば、ポリフェニレンサルファイド（ＰＰＳ）等の弾性フィルム４３ａの上に、例えば、ステンレス鋼等の金属製の支持板４３ｂを積層した板材で形成されている。
【００４９】
この弾性板４３は、流路形成基板４２に重ねられ、この流路形成基板４２の上述した圧力室６８や、共通インク室６６、インク供給口６７の図７における上側の開口部を塞ぐ状態で固定される。そして、圧力室６８と対応した箇所において、弾性板４３は、上記金属製の支持板４３ｂを環状に除去されて、内側にアイランド部６９を残すようにし、このアイランド部６９に、振動子ユニット３６の各振動子６４の先端が固定される。これにより、振動子６４の動きは、アイランド部６９を介して、圧力室６８に伝えられるようになっている。また、弾性板４３のインク供給口６７と対応した箇所には、上記金属製の支持板４３ｂが残されることにより、インク供給口６７を形成する溝の流路断面積を保持するようになっている。さらに、弾性板４３の共通インク室６６に対応した領域では、上記金属製の支持板４３ｂは除去されて、弾性フィルム４３ａだけを残すようにし、共通インク室６６内のインクの増減等による動きに追従し、コンプライアンスを得る働きをする。
【００５０】
図６のヘットカバー３９は、金属製の保護部材で、図５に示すように、ノズルプレート４１の外側から、その周縁部を包囲した状態で、流路ユニット３８をヘッドケース３７の先端部６１に当接させた状態で保持するためのものである。このヘッドカバー３９は、後に詳細に述べるが、記録媒体と対向する面となる枠部７６と記録ヘッドケース先端部６１の側面に対向する保護壁部７７とヘッドカバー３９をヘッドケース３７に固定する支持部７８とで概ね構成されている。
【００５１】
記録ヘッド３０は以上のように構成されており、基台３１に固定された、各インク供給針３２・・・は、対応する各色インクをそれぞれのカートリッジから基台３１側に導き、インクは、シート部材３４のインク供給用貫通孔３４ａ等を通りヘッドケース３７に保持された流路ユニット３８に導かれる。この流路ユニット３８においては、流路形成基板４２の共通インク室６６に一時貯留されたインクが、図８のインク供給口６７を通り、振動子ユニット３６の振動子６４の動きにしたがって、圧力室６８を介して、ノズルプレート４１のノズル開口４１ａから噴射される。これにより、図１の媒体Ｐの印刷面にインクが着弾し、かくして、キャリッジ１０１が矢印Ａ４の方向に送られることにより、媒体Ｐの印刷面にライン状に印刷が行われる。
【００５２】
図９は、本実施形態を採用した記録ヘッドの構造を示す概略断面図である。
これを参照しながら、本実施形態について説明する。
【００５３】
図９に示す、ヘッドカバー３９の枠部７６は、流路ユニット３８のノズル面を露出させる開口部７１の周囲に設けられ、流路ユニットの周縁部をヘッドケースに対して支持するように覆い、また保護壁部７７は、枠部７６から一体に起立し、ヘッドケース３７の側面（記録ヘッドの先端部６１）を覆うように形成され、支持部７８は、保護壁部７７から折り曲げられて周囲方向に延びている。またシール部材８０は、ヘッドケース先端部６１の側面全周に渡って連続して配置されており、ヘッドケース先端部６１のヘッドカバー３９の保護壁部７７に対向する面には、シール部材８０を塗布、若しくは配置する為の段差が設けられている。この段差部は、シール部材がヘッド動作によって不用意にずれてシール性を損なうことを防止するためのものである。本実施形態では、製造作業性の確保、及び本実施形態による効果を最大限に引き出すため、シール部材８０は、ヘッドケース先端部６１の側面全周に渡って連続して配置されているが、シール部材８０はヘッドケース先端部６１の、１面以上に配置されていれば、効果を発揮する。尚、シール部材の配置をヘッドケース３７の側面部とヘッドカバー３９の保護壁部３９との間にした理由としては、後述する理由により、シール部材８０は払拭手段１０７の先端に対し、基部６５側に配置されている事が好ましいため、且つシール部材８０に対して流路ユニット３８側に保持されるインク量を最小とするためである。
【００５４】
また、シール部材８０は、接着剤（接着部材）、好ましくは、シール性に優れ、強固な接着力を有し、十分な耐インク性を有し、具体的には、例えば、シリコン接着剤を採用している。接着剤を用いることにより、後述するインクの回り込みを防止する効果と共に、ヘッドカバー３９に紙ジャム等による外力が加わった場合のヘッドカバー３９の浮き上がりを防止する効果も得られる。また、シール部材８０として、液体を透過せずシール性に優れた弾性体、例えば、ゴムを用いてもよい。
【００５５】
本実施形態は以上のように構成されており、次に、その特徴的な作用を説明する。
【００５６】
この記録装置１００では、記録ヘッド３０の先端部であるヘッドカバー３９の開口部７１（ノズル形成面）では、図９の矢印Ａ５の左右いずれかの方向に払拭手段１０７が相対的に移動することで、クリーニングが行われる。
【００５７】
このクリーニング動作後において、払拭されたインクの一部は、ヘッドカバー３９の開口部７１から内側に入り込んで、図９の空間Ｓ２内に貯留される。
【００５８】
空間Ｓ２に入り込んだインクは、ヘッドケース３７の先端部６１の側面と、ヘッドカバー３９との間の空間が狭いと、毛細管現象により、この隙間Ｓ３内を図９の矢印Ａ６の方向に沿って進もうとする。このようなインクの進行方向、つまり、支持部７８の方向には、他の部品、例えば、回路基板３５等が存在するので、好ましくない。
【００５９】
そこで、この実施形態では、図９で示したように、ヘッドケース３７の先端部６１の側面にシール部材８０を配置している。このため、空間Ｓ２に入り込んだインクは、シール部材８０よりも内側、すなわち支持部７８方向へ侵入することが無い。
【００６０】
ここで、上記シール部材８０は払拭手段１０７の先端に対し、基部６５側に配置されていることが好ましい。
【００６１】
シール部材８０が、払拭手段１０７の先端に対し、流路ユニット３８側に配置されている場合、上述したクリーニング動作を行った際、ヘッドカバー３９のコーナー部に空いた隙間７２から、隙間Ｓ３にインクが侵入する可能性がある。
【００６２】
このように、本実施形態では、ヘッドカバー３９とヘッドケース３７との間に、シール領域を設けることで、インクの入り込みと、保持をなくし、多量のインクがこのような隙間に広い面積にわたって貯留されることを防止して、回路基板３５等へのインクの侵入を防止することができる。
【００６３】
これにより、プリンタを輸送する等の際に記録ヘッド３０の姿勢をかえたとき等に、多量に貯留されたインクが、回路基板３５等の他の部品に侵入して、電気的短絡を生じたり、機能を阻害したりする恐れを有効に回避することができる。
【００６４】
尚、上記実施例では、ノズルから液滴を噴射する駆動手段として圧電振動子を用いて説明したが、この他に例えば発熱素子を用いた駆動手段であっても良く、上記課題を解決するためであれば、駆動手段は限定されない。
【図面の簡単な説明】
【００６５】
【図１】この発明の液体噴射装置の好ましい実施形態としてのインクジェット式記録装置の全体構造の一例を示す概略構成図。
【図２】図１の記録装置１００のキャリッジ１０１の具体的構成例を示す斜視図。
【図３】図１の記録装置１００の記録ヘッド３０を取り付けたキャリッジ１０１の状態を示す図。
【図４】図１の記録装置１００のキャリッジ１０１に収容される本発明の液体噴射ヘッドの実施形態としての記録ヘッド３０の概略斜視図。
【図５】図１の記録装置１００のキャリッジ１０１に収容される本発明の液体噴射ヘッドの実施形態としての記録ヘッド３０の概略斜視図。
【図６】図１の記録装置１００の記録ヘッド３０の分解斜視図。
【図７】図１の記録装置１００の記録ヘッド３０のヘッドケース３７の概略断面図。
【図８】図７で示した流路ユニット３８の一部を拡大した断面図。
【図９】本実施形態の構成の一部を示す概略断面図。
【図１０】記録ヘッドの一部を示す概略断面図。
【図１１】図１０のＣで示す箇所の拡大図。
【符号の説明】
【００６６】
１００・・・インクジェット式記録装置（液体噴射装置）、１０１・・・キャリッジ、３０・・・記録ヘッド、３１・・・カートリッジ基台、３５・・・回路基板、３６・・・振動子ユニット、３７・・・ヘッドケース、３８・・・流路ユニット、３９・・・ヘッドカバー、４１・・・ノズルプレート、７６・・・枠部、７７・・・保護壁部、７８・・・支持部、８０・・・シール部材。
【図１】
2005262774.tif 000003
【図２】
2005262774.tif 000004
【図３】
2005262774.tif 000005
【図４】
2005262774.tif 000006
【図５】
2005262774.tif 000007
【図６】
2005262774.tif 000008
【図７】
2005262774.tif 000009
【図８】
2005262774.tif 000010
【図９】
2005262774.tif 000011
【図１０】
2005262774.tif 000012
【図１１】
2005262774.tif 000013